(57)【要約】【課題】  簡単な手段で枯葉、ゴミ、土、砂等の含水塵芥を乾燥させることで、広い面積を確保できない山間部等の水槽から回収する含水塵芥を容易に乾燥してその後の廃棄処理を容易に実施する。【解決手段】  山間部にある水槽Ｐから回収した含水した塵芥Ｄを、黒色の塩ビパイプからなるパイプシュート３内に所定期間保留して乾燥させる含水塵芥の乾燥処理装置であって、パイプシュート３を、そのパイプ内に上昇気流を発生させるように傾斜配置し、パイプシュート３の上端に含水塵芥Ｄを投入する投入口１を、その下端に空気を取り込む空気吸入口を兼ねると共に、乾燥した塵芥Ｄを排出する排出口２をそれぞれ設け、パイプシュート３の排出口２に、上昇気流を発生させる空気を取り入れる通気構造を有すると共に、含水塵芥Ｄの落下を阻止する堰止め構造５を設けた。【選択図】  図１
2006112674.tif 000002
【特許請求の範囲】
【請求項１】
水槽（Ｐ）から回収した枯葉、ゴミ、土、砂等の含水した塵芥（Ｄ）を、パイプシュート（３）内に所定期間保留して乾燥させる含水塵芥の乾燥処理装置であって、
前記パイプシュート（３）を、そのパイプ内に上昇気流を発生させるように傾斜配置し、
前記パイプシュート（３）の上端に含水塵芥（Ｄ）を投入する投入口（１）を、その下端に空気を取り込む空気吸入口を兼ねると共に、乾燥した塵芥（Ｄ）を排出する排出口（２）をそれぞれ設け、
前記パイプシュート（３）の排出口（２）に、上昇気流を発生させる空気を取り入れる通気構造を有すると共に、含水塵芥（Ｄ）の落下を阻止する堰止め構造（５）を設けた、ことを特徴とする含水塵芥の乾燥処理装置。
【請求項２】
前記パイプシュート（３）は、太陽熱の熱吸収率が高い暗色系の色彩の素材で形成した、ことを特徴とする請求項１の含水塵芥の乾燥処理装置。
【請求項３】
前記パイプシュート（３）を、その傾斜角度（α）が３０度から４５度の範囲内で傾斜配置した、ことを特徴とする請求項１の含水塵芥の乾燥処理装置。
【請求項４】
前記堰止め構造（５）は、含水した塵芥（Ｄ）を堰き止めると共に通気性を有するゲート（８）を、前記排出口（２）に対して開閉自在に取り付けたものである、ことを特徴とする請求項１の含水塵芥の乾燥処理装置。
【請求項５】
前記堰止め構造（５）は、含水した塵芥（Ｄ）を堰き止めると共に通気性を有する架台（１０）を、前記排出口（２）に進退自在に配置したものである、ことを特徴とする請求項１の含水塵芥の乾燥処理装置。
【請求項６】
前記パイプシュート（３）の排出口（２）近くに、スリット（１２）を下方に向けて形成した、ことを特徴とする請求項１の含水塵芥の乾燥処理装置。
【請求項７】
水槽（Ｐ）から枯葉、ゴミ、土、砂等の含水した塵芥（Ｄ）を掻き揚げ、
この水分を多く含んだ含水塵芥（Ｄ）を、傾斜したパイプシュート（３）内に一定期間保留させ、このパイプシュート（３）内が太陽熱で温度上昇する際に生じる上昇気流でこの含水塵芥（Ｄ）を乾燥させ、
この乾燥した塵芥（Ｄ）を、前記パイプシュート（３）内を滑落させて低所へ搬送する、ことを特徴とする含水塵芥の乾燥処理方法。
【請求項８】
前記パイプシュート（３）から乾燥させた塵芥（Ｄ）を滑落させて運搬用トラック（５４）の荷台（５４ａ）に直接積載する、ことを特徴とする請求項６の含水塵芥の乾燥処理方法。
【発明の詳細な説明】
【技術分野】
【０００１】
本発明は、主に山間部にある水槽等に堆積又は浮遊している枯葉、ゴミ、土、砂等の塵芥を回収し、この水分を多く含んだ含水塵芥を乾燥させて廃棄処理する含水塵芥の乾燥処理装置及びその乾燥処理方法に関するものである。
【背景技術】
【０００２】
山間部にある水槽等から回収した枯葉、ゴミ、土、砂等の含水塵芥は水分を多く含んでいる。従来から、この含水塵芥については、図６に示すような処理方法で廃棄処理していた。先ず、水槽Ｐ内に堆積又は浮遊している枯葉、ゴミ、土、砂等の塵芥Ｄを、自動除塵機５１を用いて掻き揚げていた（図６（ａ））。このように水槽Ｐから掻き揚げた塵芥Ｄは多くの水分を含んでいるために、直ぐには焼却処理ができなかった。そこで、これらの含水塵芥Ｄを野積みにして水切りしていた（図６（ｂ））。水切りした塵芥Ｄは手作業で土のう袋５２に詰めていた（図６（ｃ））。
【０００３】
この土のう袋５２を、その野積みした場所から離れた場所にある集積場５３へ人力で運搬していた。集積場５３で土のう袋５２を拡げて乾燥させた後（図６（ｄ））、トラック５４で搬出して土中に埋めて廃棄処理していた（図６（ｅ）、（ｆ））。あるいは焼却処理していた。
【０００４】
このような含水塵芥について、連続的に処理する技術が提案されている。例えば、特許文献１の特開平８−１９７０９８号公報「含水塵芥汚泥等の処理システム」に示すように、側溝、集水桝又は排水管等から回収した含水塵芥汚泥等を比較的粗目のスクリーン上において水切り処理するとともに、水切りされた塵芥汚泥等をスクリーン上から処理場へ運搬し、また前記スクリーンを経由した小径の含水塵芥汚泥等を第一ピット内に区画配設した細目スクリーン内に回収し、前記第一ピット内に生じた廃水を第二ピットに急速に流し込むことによって第二ピット内における廃水を撹拌させ、この廃水を圧搾濾過機により廃水中に含まれている小径の塵芥汚泥等をケーキ状にするとともに廃水を清水化し、この清水を第三ピットに回収し目的的に使用可能にした技術が提案されている。
【特許文献１】特開平８−１９７０９８号
【発明の開示】
【発明が解決しようとする課題】
【０００５】
しかし、上記従来の廃棄処理の作業では、水槽Ｐ等から離れた場所にある集積場５３へ濡れて重たくなっている含水塵芥Ｄ（土のう袋５２）を人力により運搬しなければならないために、作業効率が悪いという問題を有していた。特に、含水塵芥Ｄは焼却施設で引き取りされないために、その処理場の確保が困難であった。
【０００６】
含水塵芥Ｄを乾燥させるためには、集積場５３で薄く広げなければならず、面積の広い大規模な集積場５３が必要になり（図６（ｄ）参照）、山間部ではこのような乾燥は不可能であった。同様に、特許文献１の処理システムでも、攪拌処理装置や圧搾濾過機といった大掛かりな処理装置が必要であり、山間部にある水槽等から回収される含水塵芥の処理には利用できないという問題があった。
【０００７】
本発明は、かかる問題点を解決するために創案されたものである。すなわち、本発明の目的は、簡単な手段で含水塵芥を乾燥させることで、広い面積を確保できない山間部等の水槽から回収する含水塵芥を容易に乾燥してその後の廃棄処理を容易に実施できる含水塵芥の乾燥処理装置及びその乾燥処理方法を提供することにある。
【０００８】
本発明の乾燥処理装置によれば、水槽（Ｐ）から回収した枯葉、ゴミ、土、砂等の含水した塵芥（Ｄ）を、パイプシュート（３）内に所定期間保留して乾燥させる含水塵芥の乾燥処理装置であって、前記パイプシュート（３）を、そのパイプ内に上昇気流を発生させるように傾斜配置し、前記パイプシュート（３）の上端に含水塵芥（Ｄ）を投入する投入口（１）を、その下端に空気を取り込む空気吸入口を兼ねると共に、乾燥した塵芥（Ｄ）を排出する排出口（２）をそれぞれ設け、前記パイプシュート（３）の排出口（２）に、上昇気流を発生させる空気を取り入れる通気構造を有すると共に、含水塵芥（Ｄ）の落下を阻止する堰止め構造（５）を設けた、ことを特徴とする含水塵芥の乾燥処理装置が提供される。
【０００９】
前記パイプシュート（３）は、太陽熱の熱吸収率が高い暗色系の色彩の素材で形成することが好ましい。前記パイプシュート（３）を、その傾斜角度（α）が３０度から４５度の範囲内で傾斜配置することが好ましい。
【００１０】
前記堰止め構造（５）は、含水した塵芥（Ｄ）を堰き止めると共に通気性を有するゲート（８）を、前記排出口（２）に対して開閉自在に取り付けたものである。前記堰止め構造（５）は、含水した塵芥（Ｄ）を堰き止めると共に通気性を有する架台（１０）を、前記排出口（２）に進退自在に配置したものである。
また、前記パイプシュート（３）の排出口（２）近くに、スリット（１２）を下方に向けて形成することができる。
【００１１】
本発明の乾燥処理方法によれば、水槽（Ｐ）から枯葉、ゴミ、土、砂等の含水した塵芥（Ｄ）を掻き揚げ、この水分を多く含んだ含水塵芥（Ｄ）を、傾斜したパイプシュート（３）内に一定期間保留させ、このパイプシュート（３）内が太陽熱で温度上昇する際に生じる上昇気流でこの含水塵芥（Ｄ）を乾燥させ、この乾燥した塵芥（Ｄ）を、前記パイプシュート（３）内を滑落させて低所へ搬送する、ことを特徴とする含水塵芥の乾燥処理方法が提供される。
【００１２】
前記パイプシュート（３）から乾燥させた塵芥（Ｄ）を滑落させて運搬用トラック（５４）の荷台（５４ａ）に直接積載する、ことができる。
【発明の効果】
【００１３】
上記構成の装置では、含水した塵芥（Ｄ）を傾斜配置したパイプシュート（３）内に一定期間保留して、太陽熱で管内部が温度上昇する際に生じる上昇気流でこの含水した塵芥（Ｄ）を乾燥させることができる。そこで、集積場のような広い面積を確保できない山間部等において含水した塵芥（Ｄ）を容易に乾燥させることができる。
特に、パイプシュート（３）内で含水塵芥（Ｄ）を乾燥させるものであるため、従来のような広い集積場が不要になった。更に、乾燥した塵芥（Ｄ）は、公営焼却場で処理可能となり、処理場確保の問題が解消された。
【００１４】
上記構成の方法では、含水した塵芥（Ｄ）を、パイプシュート（３）の投入口（１）まで運搬して投入すれば、このパイプシュート（３）は太陽熱で内部が温度上昇する際に生じる上昇気流で乾燥することができるだけでなく、このパイプシュート（３）は、そのまま塵芥（Ｄ）の低所への移動手段又は保管手段を兼ねるので人力による運搬の負担が軽減する。
【発明を実施するための最良の形態】
【００１５】
本発明の含水塵芥の乾燥処理装置及びその乾燥処理方法は、水槽から枯葉、ゴミ、土、砂等の含水した塵芥を回収し、この含水した塵芥を、傾斜したパイプシュート内に一定期間保留させて、このパイプシュートが太陽熱で管内部が温度上昇する際に生じる上昇気流でこの含水した塵芥を乾燥させる。
【実施例１】
【００１６】
以下、本発明の好ましい実施の形態を図面を参照して説明する。
図１は本発明の含水塵芥の乾燥処理装置を示す全体説明図である。
本発明の含水塵芥の乾燥処理装置は、上端に投入口１を、下端に排出口２をそれぞれ設けて成るパイプシュート３を山間部の傾斜面に傾斜配置したものである。投入口１は、含水した塵芥Ｄを投入する部分であり、例えばベルトコンベア４で含水した塵芥Ｄを投入することができる。排出口２は、乾燥した塵芥Ｄを排出するだけでなく、空気を取り込む空気吸入口を兼ねる。更に、この排出口２に、含水した塵芥Ｄをパイプシュート３内に保留するための堰止め構造５を備えた。
【００１７】
パイプシュート３は、例えば黒色の塩化ビニル製の円筒パイプから成るものである。このパイプシュート３は、太陽熱の熱吸収率が高い黒色のような暗色系の色彩の素材で形成することが好ましい。本発明のパイプシュート３は、内部が太陽熱で温度上昇する際に生じる上昇気流で、この内部に保留させた含水した塵芥Ｄを効率良く乾燥させるためである。パイプシュート３の内部においては、パイプシュート３内の温度上昇に基づく煙突効果による緩やかな上昇気流が発生する。即ち、パイプシュート３の排出口２から入った空気がパイプシュート３内を通って投入口１に抜け出る。そして、この上昇気流により、含水した塵芥Ｄから発生した水蒸気が外部（投入口１）へ抜けるので、塵芥Ｄ周囲の水蒸気の分圧が低下して更に迅速に乾燥が進むようになる。
【００１８】
パイプシュート３は、その傾斜角度αは山間部の傾斜面に沿って３０度から４５度の範囲で傾斜配置する。これは、本発明のパイプシュート３は、含水した塵芥Ｄを乾燥させることのみを目的とするものではなく、そのまま塵芥Ｄを滑落させる移動手段を兼ねるために、この角度より緩い勾配にすると乾燥後の塵芥Ｄを高所から低所へ自然落下による移動手段としての機能が害されるからである。更に、含水塵芥Ｄを投入口１から投入してもパイプシュート３の下部まで落下移動させることができないからである。逆に、これ以上に急勾配になるとパイプシュート３内で塵芥Ｄの目詰まりをおこして、上昇気流が通過する空間が形成されないからである。このパイプシュート３の勾配は、これを支える支持脚６により調整する。図示例では、傾斜角度αを３８度にしてあるが、この角度が塵芥Ｄの乾燥と、滑落させるに最適な角度であった。
【００１９】
また、パイプシュート３は投入口１から排出口２まで直線的に形成することが望ましい。途中で曲折すると移動手段として機能しにくくなり、乾燥した塵芥Ｄが自然落下しなくなるからである。
【００２０】
図２は堰止め構造にゲートを用いた状態を示すものであり、（ａ）は装置断面図、（ｂ）はゲートの底面図である。
堰止め構造５は、パイプシュート３内に投入した含水塵芥Ｄを排出口２から落下させないためのものである、図２に示す堰止め構造５は、棒状の部材を格子形状に形成して、隙間を設けたゲート８である。このゲート８はその一端をヒンジ９で排出口２に開閉自在に取り付け、この排出口２を閉止、開放し得るようになっている。このゲート８の格子の隙間は、空気を取り入れるためのものであるが。、パイプシュート３内から含水塵芥Ｄが落下しない程度の間隔であれば十分である。このゲート８は、格子に代えて金網、透孔を開けた板材等の種々の部材を用いることも可能である。
乾燥した塵芥Ｄは、このゲート８を開けて、例えば台の上に落下させる。これをトラックの荷台に載せる。
【００２１】
図３は堰止め構造に架台を用いた状態を示すものであり、（ａ）は装置断面図、（ｂ）は架台の底面図である。
図３に示す堰止め構造５は、格子形状の通気性を有する板部材からなる架台１０である。この架台１０は、その両側にレール１１を設け、矢視方向にスライドするように構成したものである。この架台１０も、排出口２を閉止、開放し得るようになっている。
乾燥した塵芥Ｄは、この架台１０の下にトラック５４を移動させ、架台１０をスライドさせて、パイプシュート３の排出口２から直接トラック５４の荷台５４aに落下させることができる。
【００２２】
図４はパイプシュートの他の実施例を示すものであり、（ａ）は断面図、（ｂ）は底面図である。
本発明では、パイプシュート３内に投入した含水塵芥Ｄを水切りした後に、パイプシュート３内に空気の流れを形成してこの含水塵芥Ｄを乾燥させるものである。そこで、上述した格子形状の隙間を設けたゲート８、又は格子形状の通気性を有する架台１０に代えて、パイプシュート３の排出口２近くに、スリット１２を下方に向けて形成したものでもよい。このスリット１２は、容易に通気させることができると共に、パイプシュート３内に入れた含水塵芥Ｄが落下しない程度の隙間を有するものである。図示例のスリット１２は３本であるが、この本数はスリット１２の隙間幅、或いは含水塵芥Ｄの含水量や性状によって決定される。このパイプシュート３の排出口２には蓋１３を開閉自在に取り付ける。
【実施例２】
【００２３】
図５は本発明の実施例２の乾燥処理方法により水分を多く含んだ塵芥を乾燥して廃棄処理する状態の説明図であり、（ａ）は水槽から含水塵芥を掻き揚げる状態、（ｂ）はパイプシュート内に含水塵芥を投入する状態、（ｃ）は乾燥した塵芥を運搬用トラックに積載する状態、（ｄ）は乾燥した塵芥を焼却処理する状態、（ｅ）は乾燥した塵芥を埋める状態である。
本発明の実施例２の含水塵芥の乾燥処理方法では、先ず、水槽Ｐ内に堆積又は浮遊している枯葉、ゴミ、土、砂等の水分を多く含んだ含水塵芥Ｄを、自動除塵機５１を用いて掻き揚げる（図５（ａ））。なお、この含水塵芥Ｄの水槽Ｐの掻き揚げは、自動除塵機５１以外に種々の手段を講じることができる。
【００２４】
このようにして掻き揚げた含水塵芥Ｄを、投入口１から傾斜配置したパイプシュート３内に落とし込む。この傾斜配置したパイプシュート３は、ある程度の水切り作用があるので、含水塵芥Ｄの水分量は低下する。上述したように、パイプシュート３は、その内部が太陽熱で温度上昇する際に生じる上昇気流で、この内部に保留させた含水した塵芥Ｄを効率良く乾燥させる機能を有する。そこで、含水した塵芥Ｄを、パイプシュート３投入口１まで運搬して投入すれば、含水した塵芥Ｄはパイプシュート３内に生じる上昇気流で乾燥することができる。集積場のような広い面積を確保できない山間部等においても、含水塵芥Ｄを容易に乾燥させることができる（図５（ｂ））。
【００２５】
パイプシュート３内に一定期間保留させて、このパイプシュート３で乾燥した塵芥Ｄは、パイプシュート３内を低所に滑落させ、一時台に載せた後、運搬用トラック５４の荷台５４ａに積載する（図５（ｃ））。あるいは、運搬用トラック５４の荷台５４ａ直接積載することも可能である。
【００２６】
トラック５４に積載して搬出した塵芥Ｄは、例えば焼却工場で焼却処理（図５（ｄ））、あるいは土中に埋めるといった廃棄処理を行う（図５（ｅ）。
【００２７】
なお、本発明は、含水した塵芥Ｄを傾斜したパイプシュート３内に一定期間保留させて、このパイプシュート３内が太陽熱で温度上昇する際に生じる上昇気流でこの含水した塵芥Ｄを乾燥させることができれば、上述した発明の実施の形態に限定されず、本発明の要旨を逸脱しない範囲で種々変更できることは勿論である。
【産業上の利用可能性】
【００２８】
本発明の含水塵芥の乾燥処理装置及びその乾燥処理方法は、山間部の水槽内に浮遊又は堆積した塵芥について廃棄処理する以外に、平地における水槽から回収した含水した塵芥を乾燥するときにも利用することができる。
【図面の簡単な説明】
【００２９】
【図１】本発明の含水塵芥の乾燥処理装置を示す全体説明図である。
【図２】堰止め構造にゲートを用いた状態を示すものであり、（ａ）は装置断面図、（ｂ）はゲートの底面図である。
【図３】堰止め構造に架台を用いた状態を示すものであり、（ａ）は装置断面図、（ｂ）は架台の底面図である。
【図４】パイプシュートの他の実施例を示すものであり、（ａ）は断面図、（ｂ）は底面図である。
【図５】本発明の実施例２の乾燥処理方法により水分を多く含んだ塵芥を乾燥して廃棄処理する状態の説明図であり、（ａ）は水槽から含水塵芥を掻き揚げる状態、（ｂ）はパイプシュート内に含水塵芥を投入する状態、（ｃ）は乾燥した塵芥を運搬用トラックに積載する状態、（ｄ）は乾燥した塵芥を焼却処理する状態、（ｅ）は乾燥した塵芥を埋める状態である。
【図６】従来の水分を多く含んだ塵芥を乾燥して廃棄処理する状態の説明図であり、（ａ）は水槽から含水塵芥を掻き揚げる状態、（ｂ）は含水塵芥を野積みした状態、（ｃ）は含水塵芥を土のう袋に詰める状態、（ｄ）は土のう袋を拡げて乾燥させる状態、（ｅ）は土のう袋をトラックで運搬する状態、（ｆ）は乾燥した塵芥を埋める状態である。
【符号の説明】
【００３０】
１  投入口
２  排出口
３  パイプシュート
５  堰止め構造
８  ゲート
１０  架台
１２  スリット
５４  トラック
５４ａ  荷台
Ｄ  塵芥（含水塵芥）
Ｐ  水槽
α  パイプシュートの傾斜角度
【図１】
2006112674.tif 000003
【図２】
2006112674.tif 000004
【図３】
2006112674.tif 000005
【図４】
2006112674.tif 000006
【図５】
2006112674.tif 000007
【図６】
2006112674.tif 000008